(57)【要約】【課題】本発明の課題は、非接触式の定期券のような非接触式ＩＣカードのためのケースであって、嗜好性に富む非接触式ＩＣカードケースを提供することを課題とする。【課題手段】本発明に係る非接触式ＩＣカードケースは、非接触式ＩＣカードを収容可能に設けられるとともに自動改札機等の質問器が発信する信号を受信する受信部１３を有する。そして、受信部１３により信号を受信した際に発光する発光部１５を備える。または、受信部１３により前記信号を受信した際に音がなるスピーカ部１７を備える。    【選択図】図３
2005293181.tif 000002
【特許請求の範囲】
【請求項１】
非接触式ＩＣカードを収容可能に設けられるとともに、自動改札機等の質問器が発信する信号を受信する受信部と、該受信部により前記信号を受信した際に発光する発光部とを備えていることを特徴とする非接触式ＩＣカードケース。
【請求項２】
非接触式ＩＣカードを収容可能に設けられるとともに、自動改札機等の質問器が発信する信号を受信する受信部と、該受信部により前記信号を受信した際に音がなるスピーカ部とを備えていることを特徴とする非接触式ＩＣカードケース。
【請求項３】
非接触式ＩＣカードを収容可能に設けられるとともに、自動改札機等の質問器が発信する信号を受信する受信部と、該受信部により前記信号を受信した際に音がなるスピーカ部と、該受信部により前記信号を受信した際に発光する発光部とを備えていることを特徴とする非接触式ＩＣカードケース。
【請求項４】
請求項１乃至３の何れかに記載の非接触式ＩＣカードケースであって、前記質問器が発信する電源電波を受信して動作電源とするように設けられていることを特徴とする非接触式ＩＣカードケース。
【発明の詳細な説明】
【技術分野】
【０００１】
本発明は、非接触式ＩＣカードケースに関するものであり、より詳しくは、たとえば自動改札において非接触により認証可能な定期券を収容するのに適したものである。
【背景技術】
【０００２】
従前、定期券等を自動改札機に投入し、自動改札機において定期券の情報読み取り、有効期限等に基づいて入場・出場を制御していたが、最近に至り、定期券と自動改札機との間で無線によるデータの接受を行う非接触式自動改札システムが利用されている。このシステムは、自動改札機が、電源電波の送信および各種信号を送受信を行う発信部を有し、一方、定期券が、内部にＩＣを有し前記発信部からの電源電波を電源として前記発信部と各種信号の送受信を行う送受信部を有している。そして、定期券と自動改札機との各種データのやりとりにより、入場・出場を制御している。
【０００３】
上記のように自動改札システムは接触式から非接触式に移行しつつあるものの、この非接触式の定期券は、従来の接触式の定期券と同様の定期券ケースに収容されているのが現状である。つまり、非接触式定期券を想定した専用の定期券ケースが存在しないのが現状である。
【発明の開示】
【発明が解決しようとする課題】
【０００４】
本発明の課題は、非接触式の定期券のような非接触式ＩＣカードのためのケースであって、嗜好性に富む非接触式ＩＣカードケースを提供することを課題とする。
【課題を解決するための手段】
【０００５】
本発明は、上記課題を解決すべくなされたものであり、本発明に係る非接触式ＩＣカードケースは、非接触式ＩＣカードを収容可能に設けられるとともに、自動改札機等の質問器が発信する信号を受信する受信部を有するものである。
【０００６】
そして、本発明に係る非接触式ＩＣカードケースの第一の特徴は、受信部により信号を受信した際に発光する発光部を備えることにある。
【０００７】
上記構成を採用することにより、自動改札機等の質問器が発信する信号を受信部が受信すると、前記発光部が発光することになる。具体的には、非接触式定期券のような非接触式ＩＣカードを収容し、自動改札機通過する際に、発光部が発光することになる。
【０００８】
また、本発明に係る非接触式ＩＣカードケースの第二の特徴は、受信部により前記信号を受信した際に音がなるスピーカ部とを備えている点にある。
【０００９】
上記構成を採用することにより、自動改札機等の質問器が発信する信号を受信部が受信すると、前記スピーカ部から音が流れることになる。具体的には、非接触式定期券のような非接触式ＩＣカードを収容し、自動改札機通過する際に、スピーカ部から音が流れることになる。
【００１０】
また、本発明に係る非接触式ＩＣカードケースにあっては、質問器が発信する電源電波を受信して動作電源とするように設けられていることが好ましい。このように、質問器が発信する電源電波を利用することにより、電池等を必ずしも必要としないことができる。
【００１１】
なお、本発明にあっては、定期券ケースのほか、たとえば身分照会用のＩＤカード等のケースとしても適用することが可能である。
【発明を実施するための最良の形態】
【００１２】
以下、本発明に係る非接触式ＩＣカードケースの実施の形態について説明する。
【実施例１】
【００１３】
まず、本発明に係る非接触式ＩＣカードケースの一例として、定期券を収容する定期券ケースを例にとり説明する。なお、図１は、実施例１の定期券ケースの概略的平面図である。図２は、同実施例１の定期券ケースの概略的正面図である。図３は、同実施例１の定期券ケースのシステムの概略的説明図である。
【００１４】
実施例１における定期券ケースは、平面視略方形状のケース本体１０の内部に定期券１を収容可能な収容部１１が設けられ、該収容部１１は一方に開口しており、この開口１１ａが定期券１の出し入れ口となっている。また、ケース本体１０は、表面側において透明な透過部１０ａが設けられ、該透過部１０ａを介して内部が視認できるように設けられている。ここで、ケース本体１０は、たとえば硬質合成樹脂等から形成することができる。
【００１５】
また、ケース本体１０には、自動改札機等の質問器が無線により発信する信号を受信する受信部１３を内蔵している。ここで、受信部１３は、質問器と定期券１との間でなされるデータ送信や、質問器が発信する電源信号を受信できるように設けられている。
【００１６】
また、ケース本体１０には、前記受信部１３により信号を受信した際に発光する発光部１５を備えている。該発光部１５は、ケース本体１０の表面側に点灯部位が表出するように配置されている。ここで、この発光部１５は、たとえば発光ダイオード等より構成することができる。また、この発光部１５の発光は、前記受信部１３により受信した電源信号を電源として用いている。なお、図示例においては、発光部１５は、ケース本体１０の隅部に設けた二つの発光ダイオードから構成しているが、発光部１５の個数・配置等は適宜設計変更可能な事項であり、また、発光部１５の点灯部位に蛍光材料を塗布する等も適宜設計変更可能な事項である。
【００１７】
また、ケース本体１０には、前記受信部１３により信号を受信した際に、メモリ１９ｄに記憶された音楽がなるスピーカ部１７を備えている。該スピーカ部１７は、たとえばケース本体１０の裏面側に表出するように設けることが可能である（図示省略）。
【００１８】
なお、前記ケース本体１０には、ＩＣ１９が内蔵されており、該ＩＣ１９は、受信した信号を受け取る高周波回路１９ａと、高周波回路１９ａが受け取った電源信号を電源に変換する電源回路１９ｂと、高周波回路が信号を受け取った際に発光部１５に対して発光指示を行う発光指示手段１９ｃと、スピーカ部１７により流れる音楽を記憶するメモリ１９ｄと、高周波回路が信号を受け取った際にスピーカ部１７に対して前記メモリ１９ｄに記憶された音楽の再生を指示する再生指示手段１９ｅとを備えている。なお、使用回路電源に応じ補助電源として例えばボタン電池等を用いることも適宜設計変更可能な事項である。
【００１９】
次に、上記構成からなる定期券ケースの使用例について概説する。
【００２０】
まず、ケース本体１０内に非接触式ＩＣカードである定期券１を入れた状態で、非接触式自動改札機を通過すると、非接触式自動改札機と定期券１との間でデータの接受がなされ、その改札の通過が制御される。
【００２１】
そして、この際に、非接触式自動改札機の質問器から送信される電源信号を電源として、ケース本体１０の発光部１５が光り、また、スピーカ部１７から音楽が流れることになる。
【００２２】
なお、本発明にあっては、上記実施例のものに限定されるものではなく、本発明の意図する範囲内において適宜設計変更可能である。つまり、上記実施例においては、定期券１を収容することについてのみ説明したが、その他のＩＣカードの収容ケースとして利用することができる。また、ケース本体の形状等も適宜設計変更可能な事項である。
【００２３】
また、上記実施例においては、発光部１５として発光ダイオードを利用したものを説明したが、本発明はこれに限定されるものではなく、例えばEL(エレクトロルミネンス)等を利用することも可能である。さらには、発光部１５またはスピーカ部１７の双方を有するものについて説明したが、何れか一方のみのものも本発明の意図する範囲内である。
【図面の簡単な説明】
【００２４】
【図１】本発明の実施例１の定期券ケースの概略構成を説明するための平面図である。
【図２】同実施例１の定期券ケースの概略的側面正面図である。
【図３】同実施例１の定期券ケースの概略的説明図である。
【符号の説明】
【００２５】
１    定期券（非接触式ＩＣカード）
１０    ケース本体
１０ａ  透過部
１１    収容部
１１ａ  開口
１３    受信部
１５    発光部
１７    スピーカ部
１９    ＩＣ
１９ａ  高周波回路
１９ｂ  電源回路
１９ｃ  発光指示手段
１９ｄ  メモリ
１９ｅ  再生指示手段
【図１】
2005293181.tif 000003
【図２】
2005293181.tif 000004
【図３】
2005293181.tif 000005